(57)【特許請求の範囲】
【請求項１】
室内の天井に設けられたスプリンクラヘッドを外力から保護するヘッドプロテクタを備えたスプリンクラ消火設備において、
前記ヘッドプロテクタは、スプリンクラヘッドが作動しているときも作動していないときもスプリンクラヘッドのデフレクタを囲うように形成され且つその外周部に互いに間隔をへだてて配置される複数本のガード支柱を有し、前記スプリンクラヘッドの特定方向に対応する前記ガード支柱の間に、前記スプリンクラヘッドから特定方向に放水される消火用水の放水距離を規制する規制体を着脱可能に設けたことを特徴とするスプリンクラ消火設備。
【請求項２】
室内の天井に穿設されたヘッド取付孔を通して消火用給水配管に接続されるスプリンクラヘッドを備えたスプリンクラ消火設備において、
前記ヘッド取付孔を塞ぐシ−リングプレ−トの複数箇所に、前記スプリンクラヘッドから特定方向に放水される消火用水の放水距離を規制する規制体をそれぞれ切り離し可能に設けたことを特徴とするスプリンクラ消火設備。
【請求項３】
前記規制体は、前記消火用水の放水方向を斜め下方に規制する複数の放水方向規制板を具備して構成されることを特徴とする請求項１または２に記載のスプリンクラ消火設備。
【発明の詳細な説明】
【０００１】
【発明の属する技術分野】
この発明は、ビル等の建物に設備されるスプリンクラ消火設備に関する。
【０００２】
【従来の技術】
ビルや住宅などに設備されるスプリンクラ消火設備のスプリンクラヘッドは、近年、消火能力の増強を図るために、散水領域の広いものが使用されるようになってきている。特に、住宅用として使用されるスプリンクラヘッドは、室内の壁側に置かれた家具やカーテンにも消火用水を十分に散水して壁面側からの火災の拡大を防止するために、たとえば散水領域を拡大したり、あるいは消火用水が遠方まで届くようにしている。
【０００３】
【発明が解決しようとする課題】
しかしながら、このようなスプリンクラヘッドを備えた従来のスプリンクラ消火設備では、スプリンクラヘッドのデフレクタから小粒子となって飛散する消火用水が飛程の途中で空気抵抗や別の粒子と衝突するなどして霧となり、この霧が散水によって生じる気流に乗って拡散すると、隣接するスプリンクラヘッドに消火用水が付着する場合がある。特に消火用水が散水されている時に部屋のドアを開放したときには気流の乱れが生じ、これによりスプリンクラヘッドから放水された消火用水が隣接するスプリンクラヘッドの感熱部等にかかると、感熱部の感知能力が低下し、所期の消火能力を十分に発揮できなくなる惧れがあった。
また、住宅用でなくてもスプリンクラヘッドの設置間隔が狭い場合や誤ってスプリンクラヘッドを傾けて取り付けた場合、あるいはスプリンクラヘッドのデフレクタに物が当たるなどして変形した場合には、同様な問題が発生する惧れがあった。
【０００４】
この発明は上記の点に鑑みてなされたもので、スプリンクラヘッドから散水された消火用水が隣接するスプリンクラヘッドに降りかかることを防止でき、所期の消火能力を十分に発揮することのできるスプリンクラ消火設備を提供することを目的とする。
【０００５】
【課題を解決するための手段】
かかる目的を達成するために、請求項１に係る発明は、室内の天井に設けられたスプリンクラヘッドを外力から保護するヘッドプロテクタを備えたスプリンクラ消火設備において、前記ヘッドプロテクタは、スプリンクラヘッドが作動しているときも作動していないときもスプリンクラヘッドのデフレクタを囲うように形成され且つその外周部に互いに間隔をへだてて配置される複数本のガード支柱を有し、前記スプリンクラヘッドの特定方向に対応する前記ガード支柱の間に、前記スプリンクラヘッドから特定方向に放水される消火用水の放水距離を規制する規制体を着脱可能に設けたことを特徴とする。
請求項２に係る発明は、室内の天井に穿設されたヘッド取付孔を通して消火用給水配管に接続されるスプリンクラヘッドを備えたスプリンクラ消火設備において、前記ヘッド取付孔を塞ぐシ−リングプレ−トの複数箇所に、前記スプリンクラヘッドから特定方向に放水される消火用水の放水距離を規制する規制体をそれぞれ切り離し可能に設けたことを特徴とする。
請求項３に係る発明は、請求項１または２に記載のスプリンクラ消火設備において、前記規制体が前記消火用水の放水方向を斜め下方に規制する複数の放水方向規制板を具備して構成されることを特徴とする。
【０００６】
【発明の実施の形態】
以下、この発明の実施の形態を図面を参照して説明する。
図１及び図２はこの発明の第１の実施形態を示す図であり、図中１はスプリンクラヘッドを示している。このスプリンクラヘッド１は室内の天井１９に形成されたヘッド取付孔２０を挿通して図示しない消火用給水配管のソケット部２に接続されるヘッド本体３と、このヘッド本体３の内周面下部に外周面上部を螺嵌合された円筒フレ−ム４とを備えており、円筒フレ−ム４の内部には、ヘッド本体３に形成された放水口５を閉塞する弁体（図示せず）と該弁体を放水口５に押え付ける熱分解型の押圧機構部（図示せず）が組み込まれている。
【０００７】
また、スプリンクラヘッド１は円筒フレ−ム４の下方に感熱部としての感熱板６を備えており、この感熱板６の表面温度が所定温度（例えば７０℃）に達すると、図示しない押圧機構部が分解してヘッド本体３の放水口５から消火用水が放出され、放水口５から放出された消火用水がデフレクタ７に当たって放射状に散水されるようになっている。なお、図２に示す中心線の右側部分はスプリンクラヘッド１が作動していないときの状態を示し、左側部分はスプリンクラヘッド１が作動しているときの状態を示している。
【０００８】
スプリンクラヘッド１を外力から保護するヘッドプロテクタ９は筒状部１０と、この筒状部１０の下方に設けられたガードリング１２とを有しており、上記筒状部１０の内周面には、スプリンクラヘッド１のヘッド本体３に形成された雄ねじ部８ａに螺合する雌ねじ部８ｂが形成されている。
また、ヘッドプロテクタ９はガードリング１２を支持する複数本（例えば６本）のガード支柱１３を有しており、これらのガード支柱１３のうち、スプリンクラヘッド１と隣接して配置されたスプリンクラヘッド（図示せず）に対向する２本のガード支柱１３，１３間には、スプリンクラヘッド１から特定方向（隣接するスプリンクラヘッドの方向）に放水される消火用水の放水距離を規制する規制体１４が着脱可能に設けられている。なお、ガード支柱１３は筒状部１０の下端部外周に設けられたフランジ部１１に固定されている。
【０００９】
ここで、規制体１４の正面図を図３（ａ）に、また規制体１４の平面図と底面図を図３（ｂ）及び図３（ｃ）にそれぞれ示す。同図に示すように、規制体１４は図示しない両面接着テ−プによりヘッドプロテクタ９のフランジ部１１に固着される天板１５を備えており、この天板１５の両端に設けられた左右一対の側板１６，１６は両面接着テ−プによりガード支柱１３の側面に固着されるようになっている。
また、規制体１４は消火用水の放水方向を斜め下方に規制する放水方向規制板１７ａ，１７ｂ，１７ｃを備えており、これらの放水方向規制板１７ａ，１７ｂ，１７ｃは上下方向に間隔を存して両端を側板１６，１６に固定されている。
なお、図１及び図２において、符号１８はヘッド取付孔２０を塞ぐシールド板を示している。
【００１０】
このような構成によると、スプリンクラヘッド１から散水される消火用水のうち隣接するスプリンクラヘッドに向かって放水された消火用水は、ヘッドプロテクタ９に設けられた規制体１４の放水方向規制板１７ａ，１７ｂ，１７ｃに衝突し、これらの放水方向規制板１７ａ，１７ｂ，１７ｃにより消火用水の放水方向が図２に示す矢印Ａの如く斜め下方に規制される。したがって、上述した第１の実施形態ではスプリンクラヘッド１から特定方向に放水される消火用水の放水距離が制限されるため、スプリンクラヘッド１から放出された消火用水が隣接するスプリンクラヘッドに降りかかることを防止でき、これにより所期の消火能力を十分に発揮することができる。
【００１１】
また、上述した実施形態ではヘッドプロテクタ９に規制体１４を両面接着テ−プ等により着脱可能に取り付けて消火用水の放水距離を規制する構成であるため、スプリンクラヘッド１にヘッドプロテクタ９を取り付けた後でも規制体１４をヘッドプロテクタ９に取り付けることができ、これによりスプリンクラヘッド１から特定方向に放水される消火用水の放水距離を規制体１４により確実に規制することができる。
さらに、上述した実施形態ではヘッドプロテクタ９に規制体１４を設けるだけで消火用水の放水距離が規制されるため、既設のスプリンクラ消火設備にも適用することができる。
また、上述した実施形態では消火用水の放水方向を斜め下方に規制する放水方向規制板１７ａ，１７ｂ，１７ｃを備えて構成されるため、スプリンクラヘッド１の取り付け高さが異なってもスプリンクラヘッド１から特定方向に放水される消火用水の散水距離を規制することができる。
【００１２】
なお、上述した実施形態ではヘッドプロテクタ９に規制体１４を両面接着テ−プにより取り付けてスプリンクラヘッド１から特定方向に放水される消火用水の放水距離を規制するようにしたが、ヘッドプロテクタ９と規制体１４とを一体的に成形しても良い。また、規制体１４は上述した構造のものに限定されるものではなく、例えば格子状や蜂の巣状のように消火用水が通過する方向を限定する構造であれば良い。
【００１３】
次に、この発明の第２の実施形態を図４を参照して説明する。図４において、符号２１は図示しない消火用給水配管に設けられたソケットであり、このソケット２１にはスプリンクラヘッド２２が室内の天井２３に穿設されたヘッド取付孔２４を通して接続されている。
【００１４】
スプリンクラヘッド２２はヘッド本体２５と、このヘッド本体２５の放水口２６から放出された消火用水を放射状に散水するデフレクタ２７とを備えており、ヘッド本体２５にはヘッド取付孔２４を塞ぐ樹脂製のシ−リングプレ−ト２８が取り付けられている。
なお、図４では火災の熱によって作動したスプリンクラヘッド２２から消火用水が放出された状態を示している。
【００１５】
シ−リングプレ−ト２８はヘッド取付孔２４に挿入される筒状部２９を有しており、この筒状部２９の内周面には、スプリンクラヘッド２２のヘッド本体２５に形成された雄ねじ部に螺合する雌ねじ部３０が形成されている。また、シ−リングプレ−ト２８は筒状部２９の下端外周に円形状のプレート部３１を有しており、このプレート部３１の外縁部には、スプリンクラヘッド２２から特定方向（スプリンクラヘッド２２に隣接するスプリンクラヘッド方向）に放水される消火用水の放水距離を規制する規制体３２が設けられている。
【００１６】
上記規制体３２はプレート部３１の外縁部に設けられた連結部３３と、この連結部３３の先端から下方に延出した板状体３４とからなり、シ−リングプレ−ト２８と一体に形成されている。
【００１７】
このような構成によると、スプリンクラヘッド２２から散水された消火用水のうち隣接するスプリンクラヘッドに向かって放水された消火用水は、シ−リングプレ−ト２８に設けられた規制体３２の板状体３４に衝突し、この板状体３４によって放水距離が規制されるため、スプリンクラヘッド１から放出された消火用水が隣接するスプリンクラヘッドに降りかかることを防止でき、これにより所期の消火能力を十分に発揮することができる。
【００１８】
なお、上述した第２の実施形態では規制体３２をプレ−ト部３１の外縁部に設けるようにしたが、規制体３２をプレ−ト部３１の中間部に設けるようにしても良く、この場合には規制体３２をプレ−ト部３１に一体成形で設けるようにしても良い。また、プレ−ト部３１に貫通溝を設け、この貫通溝に規制体３２を裏面側から挿通して取り付けるようにしても良い。
また、上述した第２の実施形態ではシ−リングプレ−ト２８をスプリンクラヘッド２２に係合支持するようにしたが、シ−リングプレ−ト２８のプレ−ト部３１に貫通孔を穿設し、この貫通孔から天井に取付ねじをねじ込んでシ−リングプレ−ト２８を天井に固定するようにしても良い。
また、上述した第２の実施形態では規制体３２に板状体３４を用いるようにしたが、図３に示すような規制体１４をシ−リングプレ−ト２８の下面に設けても第１及び第２の実施形態と同様の作用効果を得ることができる。
【００１９】
また、ヘッド取付孔２４をシ−リングプレ−ト２８で塞ぐ場合、図５に示す如くシ−リングプレ−ト２８のプレ−ト部３１に複数の規制体３２を複数箇所に設けておき、シ−リングプレ−ト２８を天井に取り付けた後に不要な規制体３２をカッター等でシ−リングプレ−ト２８から切り離すようにしても良く、このようにすれば、規制体３２の位置決めを容易に行うことができ、スプリンクラヘッド２１から放出された消火用水が隣接するスプリンクラヘッドに降りかかることを確実に防止できる。
また、シ−リングプレ−ト２８の下面に図３に示すような規制体１４を複数箇所に設けておき、シ−リングプレ−ト２８を天井に取り付けた後に不要な規制体１４をカッター等でシ−リングプレ−ト２８から切り離すようにしても良く、このようにすれば、規制体１４の位置決めを容易に行うことができ、スプリンクラヘッド２１から放出された消火用水が隣接するスプリンクラヘッドに降りかかることを確実に防止できる。
【００２０】
図６は図１または図４に示したスプリンクラ消火設備を例えば住宅のリビングルームＲに設備した場合の概念図であり、細長いリビングルームＲの天井には２個のスプリンクラヘッド４０が間隔を存して設けられている。
図６において、Ｗ０はスプリンクラヘッド４０から散水される消火用水の正規の散水パターンを示しており、規制体１４または３２を設けていない場合は、火災でドアＤが閉じられている場合には、Ｗ０のパターンで散水が行われる。
この状態でドアＤを開くと、火災による熱気流が開放されたドアＤを通って廊下や隣室に逃げるため、散水パターンはＷ０からＷ１に変化する。
一方、上述した第１及び第２の実施形態の場合には、隣接するスプリンクラヘッド方向の散水パターンのみがＷ０からＷ２に変更される。したがって、火災時の散水パターンＷ２による散水中にドアＤが開かれても、散水パターンはＷ２からＷ０に変わるだけで、隣接するスプリンクラヘッドに水滴がかかることがなくなる。
なお、散水パターンがＷ２になるのは隣接するスプリンクラヘッド方向のみで、それ以外の方向の散水パターンはＷ０のままであるため、壁際や窓際などに設けられた家具、カーテン、障子等に対しては従来通りの散水が行われる。
【００２１】
【発明の効果】
以上説明したように、この発明によれば、スプリンクラヘッドから散水された消火用水が隣接するスプリンクラヘッドに降りかかることを防止でき、所期の消火能力を十分に発揮することができる。
【図面の簡単な説明】
【図１】この発明の第１の実施形態を示す図で、室内の天井に設けられたスプリンクラヘッドと同ヘッドを外力から保護するヘッドプロテクタの正面図である。
【図２】図１に示したスプリンクラヘッドとヘッドプロテクタの断面図である。
【図３】図１及び図２に示した規制体を示す図で、（ａ）は正面図、（ｂ）は平面図、（ｃ）は底面図である。
【図４】この発明の第２の実施形態を示す図で、室内の天井に設けられたスプリンクラヘッドと同ヘッドに取り付けられたシーリングプレートの断面図である。
【図５】シーリングプレートの底面図である。
【図６】スプリンクラヘッドから散水された消火用水の散水パターンを説明するための図である。
【符号の説明】
１，２２      スプリンクラヘッド
２，２１      ソケット
９            ヘッドプロテクタ
１４，３２    規制体
２０，２４    ヘッド取付孔
２８          シーリングプレート
【図１】
0003619631.tif 000002
【図２】
0003619631.tif 000003
【図３】
0003619631.tif 000004
【図４】
0003619631.tif 000005
【図５】
0003619631.tif 000006
【図６】
0003619631.tif 000007